(57)【要約】  ヒンジリッドパッケージは、１枚のブランク（２８）から形成される箱ボディ及び蓋を備え、ブランク（２８）は、箱ボディび蓋の縦縁を丸み縁に形成する帯状のノッチ配列（１６ａ，１８ａ）を含み、ノッチ配列（１６ａ，１８ａ）はブランク（２８）の内面のみに形成された多数のノッチ列（１９）を有し、これらノッチ列（１９）はブランク（２８）の長手方向に対して傾斜し、且つ、ノッチ配列（１６ａ，１８ａ）の幅方向に間隔を存して形成されている。
2008136298.tif 000002
【特許請求の範囲】
【請求項１】
開口端を有する箱ボディであって、
前記箱ボディの長手方向に沿って延びる縦縁の少なくとも１つを形成し、前記箱ボディの横断面でみて円弧状の丸み縁を含み、
前記丸み縁はその内面のみに前記丸み縁の円弧形状を提供するノッチ配列を有し、このノッチ配列が前記箱ボディの長手方向に対して傾斜し且つ前記丸み縁の幅方向に間隔を存して並ぶ複数のノッチ線から形成されている、箱ボディと、
前記箱ボディの前記開口端にヒンジを介して接続され、前記開口端を開閉する箱状の蓋と
を備える、棒状喫煙物品のパッケージ。
【請求項２】
前記ノッチ線はノッチ列から形成され、このノッチ列はその列方向に間隔を存して配置された複数のノッチを有する、請求項１に記載の棒状物品のパッケージ。
【請求項３】
前記丸み縁は、前記箱ボディの４つの長手縁にそれぞれ備えられている、請求項２に記載の棒状喫煙物品のパッケージ。
【請求項４】
前記箱ボディの幅を規定する２つの丸み縁は、前記箱ボディの長手軸線に対して対称である、請求項３に記載の棒状喫煙物品のパッケージ。
【請求項５】
前記蓋は、前記箱ボディの前記丸み縁にそれぞれ対応する４つの丸み縁を有する、請求項３に記載の棒状喫煙物品のパッケージ。
【請求項６】
前記箱ボディは、前記各丸み縁の内面に配置された補強パッチを更に含み、これら補強パッチは前記開口端の近傍に配置されている、請求項３に記載の棒状喫煙物品のパッケージ。
【請求項７】
前記補強パッチは糊から形成されている、請求項６に記載の棒状喫煙物品のパッケージ。
【請求項８】
請求項１に記載のパッケージのためのブランクであって、
前記ブランクは、一方向に延び且つ前記箱ボディを形成するためのメインセクションと、このメインセクションの一端にヒンジを介して接続され、前記蓋を形成するためのサブセクションとを備え、
前記メインセクションは、
前記一方向に並ぶリアパネル、ボトムパネル及びフロントパネルであって、隣接するパネル同士が横折込み線を介して接続され、前記箱ボディの後壁、底壁及び前壁をそれぞれ形成する、リアパネル、ボトムパネル及びフロントパネルと、
前記リアパネル及び前記フロントパネルの両側にそれぞれ縦折込み線を介して接続され、前記箱ボディの側壁の内側部分及び外側部分をそれぞれ形成する、インナ及びアウタサイドフラップと
を含み、
少なくとも１つの前記縦折込み線は、前記ブランクの内面のみに備えられ、前記丸み縁の円弧形状を提供する帯状のノッチ配列によって形成され、このノッチ配列は多数のノッチ線を有し、これらノッチ線は前記一方向に対して傾斜し且つ前記ノッチ配列の幅方向に間隔を存して並んでいる、ブランク。
【請求項９】
前記ノッチ線はノッチ列から形成され、このノッチ列はその列方向に間隔を存して配置された複数のノッチを有する、請求項８に記載のブランク。
【請求項１０】
前記縦折込み線は全て、前記ノッチ配列によって形成されている、請求項８に記載のブランク。
【請求項１１】
前記箱ボディの幅を規定する２つのノッチ配列はそのノッチ列の傾斜方向が互いに逆向きである、請求項１０に記載のブランク。
【発明の詳細な説明】
【技術分野】
【０００１】
本発明は、シガレットやフィルタシガレット等の棒状喫煙物品のパッケージ及びそのブランクに関する。
【背景技術】
【０００２】
この種のパッケージは一般的にヒンジリッドパッケージと称されている。このヒンジリッドパッケージは直方体形状をなし、その長手方向に沿って延びる４つの角縁を有する。このようなパッケージは角縁を有するため、ユーザがその手にパッケージを把持したとき、手に馴染み難い。【０００３】
このようなことから、上述の角縁の代わりに、丸みが付けられた丸み縁を有するパッケージが知られている（例えば、以下の特許文献１参照）。この特許文献１のパッケージは丸み縁を有するため、ユーザがその手でパッケージを把持したとき、手に馴染み易い。【０００４】
特許文献１のパッケージのためのブランクは上述の丸み縁を提供するために、その内面にノッチ（刻み目）線配列を有する。このノッチ配列は複数のノッチ線から形成され、これらノッチ線はブランクの長手方向に沿って互いに平行に延びている。【０００５】
丸み縁を提供する刻み線配列はパッケージの外面に露出しないので、刻み線配列がパッケージの美観を損なうこともない。
【特許文献１】特表2004-524228号公報
【発明の開示】
【発明が解決しようとする課題】
【０００６】
ところで、上述したブランクはその厚みが一様でなく、ノッチ線配列に含まれる１つのノッチ線がブランクの薄い領域に存在することがある。このような場合、ノッチ線の底とブランクの外面との間の厚みが極端に薄くなり、ノッチ線配列中に局所的な脆弱部が形成される。【０００７】
それ故、ブランクが折込まれるとき、ノッチ線配列の脆弱部に応力が集中する。このような応力集中は、ノッチ線配列をその脆弱部にて鋭角に折曲げ、綺麗な丸み縁の形成を不能にする。【０００８】
本発明の目的は、綺麗な丸み縁を有する棒状喫煙物品のパッケージ及びそのブランクを提供することにある。
【課題を解決するための手段】
【０００９】
上記の目的を達成するため、本発明のパッケージは、開口端を有する箱ボディと、この箱ボディの開口端にヒンジを介して接続され、開口端を開閉する箱状の蓋とを備える。箱ボディは、その長手方向に沿って延びる縦縁の少なくとも１つを形成し、箱ボディの横断面でみて円弧状の丸み縁を含み、この丸み縁はその内面のみに、丸み縁の円弧形状を提供するノッチ配列を有する。このノッチ配列は複数のノッチ線から形成され、これらノッチ線は箱ボディの長手方向に対して傾斜し且つ丸み縁の幅方向に間隔を存して並んでいる。【００１０】
ノッチ配列は丸み縁の内面のみに設けられていることから、ノッチ配列のノッチ線が丸み縁の外面に露出することはなく、円滑な丸み縁を提供する。【００１１】
具体的には、ノッチ線はノッチ列から形成され、このノッチ列はその列方向に間隔を存して配置された複数のノッチを有する。【００１２】
好ましくは、上述の丸み縁は、箱ボディの４つの長手縁にそれぞれ備えられている。この場合、箱ボディの幅を規定する２つの丸み縁は、箱ボディの長手軸線に対して対称である。【００１３】
一方、蓋もまた、箱ボディの丸み縁にそれぞれ対応する４つの丸み縁を有することができる。【００１４】
更に、箱ボディは、各丸み縁の内面に配置された補強パッチを更に含んでいるのが好ましい。これら補強パッチは箱ボディの開口端の近傍に配置されている。具体的には、補強パッチは糊から形成することができる。【００１５】
本発明は、上述したパッケージのためのブランクをも提供し、このブランクは丸み縁を形成するためのノッチ配列を含む。なお、ブランクの詳細については、後述される実施例の説明から明らかとなる。【００１６】
パッケージが上述したブランクから形成されるとき、ノッチ配列の各ノッチ線はパッケージの長手方向に対して斜めに延びる。それ故、たとえ丸み縁となるブランクの部位に前述した薄肉領域が存在し且つこの薄肉領域がパッケージの長手方向に延びていても、ノッチ配列のノッチ線は薄肉領域を横断するに過ぎない。それ故、ノッチ線がブランクに前述した脆弱部を形成してしまう虞は少なく、ブランクの折込み成形は安定して実施可能となる。
【発明の効果】
【００１７】
棒状喫煙物品のパッケージ及びそのブランクは、丸み縁の円弧形状が丸み縁の内面（ブランクの内面）のみに備えられたノッチ配列によって得られているので、パッケージの外面にノッチ配列が露出することはない。それ故、パッケージは美観に優れる。【００１８】
また、ノッチ配列の各ノッチ線は箱ボディの長手方向（縦折込みライン）に対して傾斜しているので、ブランクの厚みが一様でなくとも、ブランクの安定した折込み成形、即ち、パッケージの安定した形成が可能となる。【００１９】
更に、丸み縁のサイズは、ノッチ配列の幅及びそのノッチ線の傾斜角によって決定されるので、任意の大きさを有する丸み縁が容易に得られる。【００２０】
更にまた、補強パッチはノッチ配列の存在に拘わらず、箱ボディにおける開口端の変形を防止し、蓋の円滑且つ確実な開閉が可能となる。
【図面の簡単な説明】
【００２１】
【図１】一実施例のパッケージを閉状態で示した斜視図である。
【図２】図１のパッケージを開状態で示した斜視図である。
【図３】図１，２の箱ボディの概略的な横断面図である。
【図４】図１，２の箱ボディ及び蓋を形成するためのブランクの内面を示した図である。
【図５】図４のブランクの外面を示した図である。
【図６】図４のブランクが有するノッチ配列の一部を拡大して示す図である。
【図７】図６のノッチ配列の一部を示した断面図である。
【図８】ブランクが図６のノッチ配列にて折込まれたとき、ノッチ配列によって形成された丸み縁を示す断面図である。
【図９】変形例のブランクの内面を示した図である。
【図１０】変形例のインナフレームを形成するためのブランクを示した図である。
【発明を実施するための最良の形態】
【００２２】
図１は、一実施例のヒンジリッド型パッケージを示す。
図１のパッケージは全体的に略直方体形状をなし、透明な上包みフィルム（図示しない）により覆われている。この上包みフィルムは開封テープを有し、この開封テープに沿って上包みフィルムが開かれたとき、パッケージは部分的に露出される。なお、図１中、上包みフィルムは省略されている。【００２３】
パッケージは箱部分２を備えている。この箱部分２の上端は開口されており、この開口端は蓋６により閉じられている。蓋６は開口端の後縁にセルフヒンジ４を介して接続され、開口端を開閉すべくセルフヒンジ４の回りに回動可能である。【００２４】
より詳しくは、図２から明らかなように箱部分２は箱ボディ８を含み、この箱ボディ８は斜めに開口した上端を有する。更に、箱部分２はＵ字形状のインナフレーム１０を更に含む。このインナフレーム１０は箱ボディ８の上端から部分的に突出し、箱部分２の開口端１２を形成する。インナフレーム１０はその前壁にはアクセス開口１４を有する。このアクセス開口１４は略Ｕ字形をなす。【００２５】
蓋６は箱形状をなし、斜めに開口した下端を有する。蓋６はインナフレーム１０の突出部に被さった状態で、箱部分２の開口端１２を閉じることができ、この際、蓋６の下端は箱ボディ８の上端に合致する。【００２６】
通常の箱ボディ８はその長手方向に延びる４つ角縁を有しているが、本実施例の場合、箱ボディ８は角縁の代わりに、丸み縁１６を有する。これら丸み縁１６は箱ボディ８の横断面でみて円弧形状をなす。また、蓋６もまた各丸み縁１６に対する同様な丸み縁１８を有する。蓋６が閉じられたとき、図１から明らかなように、丸み縁１６とこの丸み縁１６に対応する丸み縁１８とは同一の線上に配置され、パッケージの１つの縦縁を形成する。【００２７】
なお、インナフレーム１０は通常の２つの角縁２４を有する。
図３から明らかなように箱ボディ２内にはインナパックＩＰが収容され、このインナパックＩＰはインナフレーム１０により抱え込まれている。インナパックＩＰは、棒状喫煙物品としての２０本のフィルタシガレットの束と、この束を包み込んだ内包材とを含む。【００２８】
本発明のパッケージの特徴は、箱ボディ８及び蓋６を形成するためのブランク２８に関する以下の説明から明らかになる。図４及び図５はブランク２８の内面及び外面をそれぞれ示す。【００２９】
ブランク２８の基本的な形態やその折込み手順は公知であるので、ここでは、その基本な形態を簡単に説明する。【００３０】
ブランク２８は大きく分けて、箱ボディ８を形成するためのメインセクション３０と、蓋６を形成するためのサブセクション３２とを含む。メインセクション３０は一方向に延びており、図４でみてメインセクション３０の上端にセルフヒンジ４を介してサブセクション３２が接続されている。【００３１】
メインセクション３０は、サブセクション３２側、即ち、セルフヒンジ４側からリアパネル３４、ボトムパネル３６及びフロントパネル３８を有する。これらパネル３４，３６，３８はメインセクション３０の長手方向に並び、隣接するパネル同士はメインセクション３０を横断する横折込み線を介して互いに接続されている。パネル３４，３６，３８は箱ボディ８の後壁、底壁及び前壁をそれぞれ形成する。【００３２】
リアパネル３４の両側には、メインセクション３０の長手方向に延びる縦折込み線を介してインナサイドフラップ４０がそれぞれ接続されており、これらインナサイドフラップ４０は箱ボディ８における側壁の内側部分を形成する。また、フロントパネル３８の両側にも、縦折込み線を介してアウタサイドフラップ４２がそれぞれ接続されており、これらアウタサイドフラップ４２は前記側壁の外側部分を形成する。つまり、箱ボディ８の側壁はインナ及びアウタサイドフラップ４０，４２が互いに重ね合わされて形成される。【００３３】
更に、図４でみて、各インナサイドフラップ４０の下端には横折込み線を介してインナボトムフラップ４４が接続されており、これらインナボトムフラップ４４はボトムパネル３６のための補強部材であり、箱ボディ８の底壁の内側部分を形成する。【００３４】
一方、サブセクション３２は、リアパネル４６、トップパネル４８、フロントパネル５０及びインナフロントパネル５２を有する。これらパネル４６，４８，５０，５２はリアパネル３４側から順次配置され、隣接するパネル同士は横折込み線を介して互いに接続されている。パネル４６，４８，５０は蓋６の後壁、上壁及び前壁をそれぞれ形成し、インナフロントパネル５２はフロントパネル５０のための補強部材であり、蓋６の前壁の内側部分を形成する。【００３５】
図４から明らかなように、箱ボディ８の底壁及び蓋６の上壁をそれぞれ形成するボトムパネル３６及びトップパネル４８は、前述した丸み縁１６，１８に対応した円弧形状の四隅を有する。【００３６】
リアパネル４６の両側には縦折込み線を介してインナサイドフラップ５４がそれぞれ接続されており、フロントパネル５０の両側には縦折込み線を介してアウトサイドフラップ５６がそれぞれ接続されている。サブセクション３２の左右でみて、同一側に配置されたインナ及びアウタサイドフラップ５４，５６は互いに重ね合わされ、蓋６の側壁を形成する。【００３７】
更に、各インナサイドフラップ５４の上縁には横折込み線を介してインナトップフラップ５８がそれぞれ接続されている。これらインナトップフラップ５８はトップパネル４８の補強部材であり、蓋６における上壁の内側部分を形成する。【００３８】
通常、前述した各横折込み線はブランク２８に形成された線状の圧痕である。しかしながら、前述した丸み縁１６，１８を形成する縦折込み線は圧痕線ではなく、ブランク２８の長手方向に延びる帯状をなし、一定の幅Ｗを有するノッチ配列となっている。【００３９】
より詳しくは、前記縦折込み線はノッチ配列１６ａ，１８ａから形成され、これらノッチ配列１６ａ，１８ａはブランク２８の内面に配置されている。ノッチ配列１６ａ，１８ａは多数のノッチ列１９を含み、これノッチ列１９はブランクク２８の長手方向に対し、所定の傾斜角αにて傾斜した状態で互いに並行に延びている。即ち、ノッチ列１９はノッチ配列の幅方向に一定の間隔を存して並び、ノッチ配列の幅内に含まれるノッチ列１９の数は例えば５本程度である。なお、傾斜角αは５〜３０°の範囲から選択され、より好ましくは１０〜１５°の範囲にある。【００４０】
図６に拡大して示されているように、各ノッチ列１９は複数のノッチＮから形成されている。具体的には、これらノッチＮはブランク２８の内面に形成された溝状の凹み、即ち、ピットであって、そのノッチ列１９の列方向に所定の間隔を存して配置されている。また、図６から明らかなように、ノッチ配列の幅方向に隣接するノッチ列１９のノッチＮは、ノッチ列１９の列方向でみて交互に配置されている。【００４１】
更に、本実施例の場合、図４から明らかなように箱ボディ８の幅を規定する左右のノッチ配列１６ａ，１８ａは、箱ボディ８の長手軸線に対して左右対称である。即ち、これらノッチ配列のノッチ列１９は互いに逆向きに傾斜している。【００４２】
上述したノッチ配列１６ａ，１８ａはブランク２８の厚みを実質的に減少させるので、ブランク２８におけるノッチ配列１６ａ，１８ｂの領域は他の領域に比べて柔軟である。それ故、ブランク２８がノッチ配列１６ａ，１８ａに沿って折込まれ、前述した丸み縁１６，１８がそれぞれ形成されるとき、ノッチ配列１６ａ，１８ａのノッチ列１９は丸み縁１６，１８における外面の円弧長と内面の円弧長との間の差を吸収し、箱ボディ８及び蓋６の丸み縁１６，１８に円滑な外面を提供する。【００４３】
また、ブランク２８の厚みが極端に薄い領域がノッチ配列１６ａ，１８ａ内に存在し且つブランク２８の長手方向に延びていても、ノッチ列１９はブランク２８の長手軸線に対して傾斜しているので、ノッチ列１９がノッチ配列中に前述した脆弱部を形成することはない。【００４４】
それ故、ノッチ配列１６ａ，１８ａに沿ってブランク２８のフラップが折込まれるとき、ここでの折込みは安定して実施される。この結果、ノッチ配列１６ａ，１８ａは、正確な円弧形状を有する丸み縁１６，１８を確実に形成する。図５から明らかなようにブランク２８の外面にノッチ配列１６ａ，１８ａは露出しないので、丸み縁１６，１８の外面は円滑になり、美観に優れたパッケージが得られる。【００４５】
また、ノッチ配列１６ａ，１８ａは柔軟であるから、ノッチ配列１６ａ，１８ａに対する予備折込みが不要となる。このことは、通常の包装機を使用したブランク２８の折込みを可能とし、図１，２のパッケージを容易に成形可能となる。【００４６】
更に、図４に示されているように、ブランク２８の折込みに先立ち、ブランク２８の各ノッチ配列１６ａは補強パッチ６０を備えているのが好ましい。これら補強パッチ６０は、箱ボディ８の開口端に近接した側のノッチ配列１６ａの端部にノッチ配列１６ａを横断するように配置される。【００４７】
具体的には、図７から明らかなように、補強パッチ６０は各ノッチ配列１６ａに塗布された糊６２によって形成される。塗布直後の糊６２は流動性を有しているので、ブランク２８がノッチ配列１６ａに沿って折込まれる際、補強パッチ６０、即ち、糊６２がブランク２８の折込みにとって抵抗になることはない。即ち、図８に示されるように、ブランク２８が折込まれたとき、糊６２はノッチＮ内に入り込むことができる。この後、糊６２の硬化により得られた補強パッチ６０はその部位にて、ノッチ配列１６ａ、つまり、丸み縁１６の強度を高める。この結果、箱ボディ８の開口端は変形し辛くなり、確実且つ円滑な蓋６の開閉が可能となる。【００４８】
本発明は上述した一実施例に制約されるものではなく、種々の変形が可能である。
図９は、変形例のブランク２８の内面を示す。【００４９】
図９のブランク２８は図４のブランクとはノッチ配列１６ａ，１８ａの向きのみにて相違する。より詳しくは、図９のブランク２８の場合、リアパネル３４の左右に位置したノッチ配列１６ａの傾斜向きは互いに異なり、これは図４のブランクの対応するノッチ配列の傾斜向きと同様である。【００５０】
しかしながら、図９のブランク２８の場合、ブランク２８の長手軸線と平行な同一の線上に配置されているノッチ配列１６ａ，１８ａに関して、ブランク２８の長手方向に隣接するノッチ配列同士の傾斜の向きは互いに逆向きとなっている。それ故、箱ボディ８及び蓋６の側壁を形成すべく互いに重ね合わされるアウタサイドフラップ及びインナサイドフラップの折込みに関して、折り込まれたサイドフラップにはノッチ配列１６ａ，１８ａの傾斜の向きに起因して、それらの自由側縁がノッチ配列に対してブランク２８の長手方向に変位しようとする虞がある。しかしながら、ここでの変位方向はアウタサイドフラップ及びインナサイドフラップの自由側縁にて互いに逆向きとなる。【００５１】
この結果、アウタサイドフラップ及びインナサイドフラップが互いに重ね合わされ、そして、接着されて側壁を形成したとき、上述の変位は互いに打ち消されることから、サイドフラップのノッチ配列１６ａ，１８ａは前述した丸み縁１６，１８を安定して形成することができる。【００５２】
図１０は、変形例のインナフレーム１０を形成するための紙製のブランク６４を示す。
ブランク６４は前述したノッチ配列１６ａと同様な２つのノッチ配列２４ａを有し、これらノッチ配列２４ａは前述した角縁２４に代えて、丸み縁１６と同様な丸み縁を形成する。【００５３】
また、図４でみて左右のノッチ配列１６ａ，１８ａのノッチ列１９はそれらの延長線がブランク２８の上方にて交差すべく傾斜されているが、ブランク２８の下方にて交差する向きに傾斜されてもよい。【００５４】
また、箱ボディ８の底壁や蓋６の上壁の角縁もまた前述した丸み縁と同様な丸み縁に置換可能である。【００５５】
更に、図７及び図８に示したノッチＮ９は逆台形形状の断面を有する、この断面形状に限られるものではない。【００５６】
更にまた、本発明のパッケージは丸み縁１６，１８の少なくとも１つを備えていればよく、そして、本発明はヒンジリッド型パッケージに限らず、タングリッド型パッケージにも同様に適用可能である。
【図１】
2008136298.tif 000003
【図２】
2008136298.tif 000004
【図３】
2008136298.tif 000005
【図４】
2008136298.tif 000006
【図５】
2008136298.tif 000007
【図６】
2008136298.tif 000008
【図７】
2008136298.tif 000009
【図８】
2008136298.tif 000010
【図９】
2008136298.tif 000011
【図１０】
2008136298.tif 000012
【国際調査報告】
2008136298.tif 000013
2008136298.tif 000014
2008136298.tif 000015
2008136298.tif 000016